(57)【要約】  スポーツ選手の体幹筋肉とバランスの両方を強化するように設計されたカスタマイズ可能なスイングトレーニング装置であって、第１のフットパッド、第２のフットパッド、第１のフットパッドを第２のフットパッドに連結するコネクタ、装置に乗るのを助けるためのフットパッドの回転を防止するフットパッドキック止め具を有する装置。装置は、使用者がバランスを鍛えながら、装置の不安定さを軽減することを可能にする安定止め具を有することができ、異なる年齢、身長、およびスポーツレベルの使用者の要望ならびに異なるレベルの目的にかなうように調節することもできる。【選択図】図１
2015510815.tif 000002
【特許請求の範囲】
【請求項１】
第１のフットパッド、第２のフットパッド、前記第１のフットパッドを前記第２のフットパッドに連結するコネクタ、前記第１のフットパッドの回転を防止する前記第１のフットパッドに取り付けられた第１のフットパッドキック止め具、前記第２のフットパッドの回転を防止する前記第２のフットパッドに取り付けられた第２のフットパッドキック止め具を備えることを特徴とするカスタマイズ可能なスイングトレーニング装置。
【請求項２】
請求項１に記載のカスタマイズ可能なスイングトレーニング装置において、前記使用者が前記装置の不安定さを軽減することを可能にする安定止め具をさらに備えることを特徴とするカスタマイズ可能なスイングトレーニング装置。
【請求項３】
請求項１に記載のカスタマイズ可能なスイングトレーニング装置において、前記使用者が手動で回して締めて、または緩めてそれぞれの前記フットパッドの枢動的回転の速度を調節することができる、それぞれの前記フットパッドの底面に配置されたつまみをさらに備えることを特徴とするカスタマイズ可能なスイングトレーニング装置。
【請求項４】
請求項１に記載のカスタマイズ可能なスイングトレーニング装置において、前記使用者が手動でそれぞれの前記フットパッドの枢動的回転度を調節することを可能にする、それぞれの前記フットパッドの底面に配置されたピンをさらに備えることを特徴とするカスタマイズ可能なスイングトレーニング装置。
【請求項５】
請求項４に記載のカスタマイズ可能なスイングトレーニング装置において、前記枢動的回転度が９０度、１８０度、および３６０度に設定され得ることを特徴とするカスタマイズ可能なスイングトレーニング装置。
【請求項６】
請求項１に記載のカスタマイズ可能なスイングトレーニング装置において、前記使用者が前記フットパッドを異なる幅に手動で調節することを可能にする可動プレート調節器をさらに備えることを特徴とするカスタマイズ可能なスイングトレーニング装置。
【請求項７】
請求項５に記載のカスタマイズ可能なスイングトレーニング装置において、前記可動プレート調節器により、前記使用者が前記可動プレート調節器により３つの異なる幅に設定することを可能にすることを特徴とするカスタマイズ可能なスイングトレーニング装置。
【請求項８】
請求項１に記載のカスタマイズ可能なスイングトレーニング装置において、前記フットパッドのすべりを防止するように設計されたそれぞれの前記フットパッド用の取り外し可能なフットパッドカバーをさらに備えることを特徴とするカスタマイズ可能なスイングトレーニング装置。
【請求項９】
請求項１に記載のカスタマイズ可能なスイングトレーニング装置において、前記装置は管状の鉄鋼で構成されることを特徴とするカスタマイズ可能なスイングトレーニング装置。
【請求項１０】
請求項１に記載のカスタマイズ可能なスイングトレーニング装置において、前記カスタマイズ可能なスイングトレーニング装置の使用時に、音を出しすることおよび画像を表示することができる電子機器のモジュールをさらに備えることを特徴とするカスタマイズ可能なスイングトレーニング装置。
【請求項１１】
請求項１に記載のカスタマイズ可能なスイングトレーニング装置において、様々なスポーツのアイコンを支持することが可能な黒鋼板金網の装置を形成することをさらに備えることを特徴とするカスタマイズ可能なスイングトレーニング装置。
【請求項１２】
請求項１に記載のカスタマイズ可能なスイングトレーニング装置において、前記装置から外に向かって延びるフレックスヘッドを有する拡張ティーをさらに備えることを特徴とするカスタマイズ可能なスイングトレーニング装置。
【発明の詳細な説明】
【技術分野】
【０００１】
本発明は、スポーツ選手の体幹筋肉およびバランスの両方を強化するように設計されたカスタマイズ可能なスイングトレーニング装置に関するものである。装置は、フットパッドキック止め具および安定止め具を有することで乗りやすさとバランスを徐々に改善することの両方を可能にし、調節可能なフット旋回軸を有することでプロ使用者およびアマチュア使用者の両方の要望にあわせることができる。
【背景技術】
【０００２】
様々なスポーツは、競技中に様々な用具をスイングするのに体幹筋肉（たとえば、下背部と上背部、腹部と腰回り）を使用する必要がある。たとえば、ゴルフおよびホッケーでは、競技者はゴルフクラブまたはホッケースティックを振り子型運動でスイングする。野球、ソフトボール、およびテニスでは、競技者は全身でバットまたはラケットをスイングする。それぞれのスイングする動きは体幹筋肉を利用して所望の速度で所望の方向に物体を打ち飛ばす速度および力を生む。バランスもまた、スイングを上達させ改良する際に重要な要素である。その理由は、前から後ろへ体重を移動させること、ならびに／もしくは、前および／または後ろに枢動することは、打たれる物体の速度と方向に影響を与えるからである。スイングを上達させる際には、運動を通して体幹筋肉を鍛えることでは、相応の結果を得ることができない。なぜなら、そのような運動は望みどおりの結果を達成するのに必要なバランストレーニングを組み込み得ないからである。そのため、体幹筋肉の発達およびバランストレーニングを組み込んだ適切なスイング技術に関して個人を鍛える手段が必要とされている。
【０００３】
参照により組み込まれる米国特許第７，９９７，９９６号明細書では、スポーツ用具（ｓｐｏｒｔｉｎｇ  ｄｅｖｉｃｅ）をスイングしながら、バランスを養成することおよび使用される体幹筋肉を増強させることに役立つスイングトレーニング装置ならびにシステムを開示した。しかしながら、開示されたスイングトレーニング装置およびシステムは、バランスをとって容易に乗り、徐々に必要なバランスを習得するのに不慣れな使用者に十分な安定を必ずしも提供するとは限らない。また、装置を使用するとき、プロおよびアマチュアの、若年者および高年齢者の、野球競技者およびゴルファーの、ならびにその他多くの多様な使用する可能性のある人の、両方の異なる需要に適合させることはより難しい。したがって、本発明は、出願人の従来の装置に対して実質的改良および技術的進歩を示しており、その理由は、本発明が可能性のあるすべての潜在的使用者へのスイングトレーニング装置の適応性を提供すると同時に、限られたバランスを有する使用者が徐々に上達することを可能にするカスタマイズ可能なスイングトレーニング装置を備えるからである。
【発明の概要】
【０００４】
本発明の目的は、第１のフットパッド、第２のフットパッド、第１のフットパッドを第２のフットパッドに連結するコネクタを備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供することである。
【０００５】
本発明のさらなる目的は、第１のフットパッド、第２のフットパッド、第１のフットパッドを第２のフットパッドに連結するコネクタ、使用者が装置の不安定さを軽減させることを可能にする安定止め具を備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供することである。
【０００６】
本発明の目的はまた、第１のフットパッド、第２のフットパッド、第１のフットパッドを第２のフットパッドに連結するコネクタ、使用者が手動で回して締めて、または緩めて前記フットパッドの枢動的回転の速度を調節することができる、前記フットパッドの底面にあるつまみを備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供することである。
【０００７】
本発明の目的はまた、第１のフットパッド、第２のフットパッド、第１のフットパッドを第２のフットパッドに連結するコネクタ、使用者が手動で前記フットパッドの回転度を調節することを可能にする、前記フットパッドの底面にあるピンを備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供することである。回転度は９０度、１８０度、および３６０度に設定され得る。
【０００８】
本発明の目的はまた、第１のフットパッド、第２のフットパッド、第１のフットパッドを第２のフットパッドに連結するコネクタ、使用者が手動で前記フットパッドを異なる幅に調節することを可能にする可動プレート調節器を備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供することである。使用者には少なくとも３つの異なる幅設定が提供され得る。
【０００９】
本発明の目的はまた、第１のフットパッド、第２のフットパッド、第１のフットパッドを第２のフットパッドに連結するコネクタ、すべりを防ぐように設計される前記フットパッドのフットパッドカバーを備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供することである。また、本発明の目的は管状の鉄鋼構造によって達成され得る。本発明はまた、カスタマイズ可能なスイングトレーニング装置の使用時に、音を出すことおよび画像を表示することができる電子機器のモジュールを備え得る。本発明はまた、様々なスポーツのアイコンを支持し得る黒鋼板金網を備え得る。
【００１０】
また、本発明は、第１のフットパッド、第２のフットパッド、第１のフットパッドを第２のフットパッドに連結するコネクタ、装置から外に向かって延びるフレックスヘッドを有する拡張ティーを備え、第１のフットパッドは第１のフットパッドの回転を防止する第１のフットパッドキック止め具を有し、第２のフットパッドは第２のフットパッドの回転を防止する第２のフットパッドキック止め具を有する、カスタマイズ可能なスイングトレーニング装置を提供する。
【００１１】
本発明をより深く理解できるように含まれる添付の図面は、本明細書の説明とともに本発明の例示的な実施形態を示す。
【図面の簡単な説明】
【００１２】
【図１】図１は、本発明によるスイングトレーニング装置の例示的な実施形態の図である。
【図２】図２は、左右に揺れる本発明によるスイングトレーニング装置の例示的な実施形態の図であり、このようにして使用者が克服しなければならない不安定さを生じさせている。
【図３Ａ】図３Ａは、本発明によるスイングトレーニング装置の例示的な実施形態の図であり、「元の（ｈｏｍｅ）」位置にあるフットパッドを示す。
【図３Ｂ】図３Ｂは、本発明によるスイングトレーニング装置の例示的な実施形態の図であり、右利きの使用者用の位置に回転させたフットパッドを示す。
【図３Ｃ】図３Ｃは、本発明によるスイングトレーニング装置の例示的な実施形態の図であり、左利きの使用者用の位置に回転させたフットパッドを示す。
【図４Ａ】図４Ａは、フットパッドとピンとフットパッドの枢動を制御するラジアルスロットの上面図である。
【図４Ｂ】図４Ｂは、フットパッドとピンとフットパッドの枢動を制御するラジアルスロットの底面図である。
【図５】図５は、フットパッドがピンを使用する異なる幅設定に摺動することができる方法を示す本発明によるスイングトレーニング装置の例示的な実施形態の図である。
【図６】図６は、装置に安定止め具を設けることができる方法を示す本発明によるスイングトレーニング装置の例示的な実施形態の図である。
【図７Ａ】図７Ａは、ロックされた位置およびロックが解除された位置にあるフットパッドキック止め具を示す、本発明によるスイングトレーニング装置の例示的な実施形態の図である。
【図７Ｂ】図７Ｂは、フットプレートとフットパッドの分解図を示す、本発明によるスイングトレーニング装置の例示的な実施形態の図である。
【図７Ｃ】図７Ｃは、本発明によるスイングトレーニング装置の例示的な実施形態の図であり、ロックが解除された位置のフットパッドの図を示す、
【図７Ｄ】図７Ｄは、本発明によるスイングトレーニング装置の例示的な実施形態の図であり、ロックされた位置のフットパッドの図を示す。
【図７Ｅ】図７Ｅは、本発明によるスイングトレーニング装置の例示的な実施形態の図であり、フットパッドのないロックが解除された位置の図を示す。
【図７Ｆ】図７Ｆは、本発明によるスイングトレーニング装置の例示的な実施形態の図であり、フットパッドの下の丸いブラケットの図を示す。
【図８】図８は、丸いブラケットおよびフットパッドの回転を制御するのに使用するつまみナットとつまみの底面図を示す、本発明によるスイングトレーニング装置の例示的な実施形態の図である。
【図９】図９は、装置への電子機器のモジュールの取り付けを示す、本発明によるスイングトレーニング装置の例示的な実施形態の図である。
【図１０Ａ】図１０Ａは、装置の概略側面図を示す。
【図１０Ｂ】図１０Ｂは、装置の概略上面図を示す。
【図１０Ｃ】図１０Ｃは、装置の概略正面図を示す。
【図１０Ｄ】図１０Ｄは、装置の概略底面図を示す。
【図１１】図１１は、拡張フレックスヘッドが取り付けられた装置の上面図を示す。
【発明を実施するための形態】
【００１３】
本発明は、次の説明および添付の図面の参照により、より理解することができ、同様の構成要素は同一参照番号で示される。本発明の好ましい実施形態は、ゴルフ、ホッケー、野球、ソフトボール、およびテニスを含むがこれらに限らない１つまたは複数の活動の種類のためのカスタマイズ可能なスイングトレーニング装置を備える。当業者は、同一の装置がすべて（または一部）の活動の種類、体の大きさ、年齢の、ならびにプロおよびアマチュア両方のスポーツ選手に利用され得ることを理解するであろう。
【００１４】
図１は、本発明によるカスタマイズ可能なスイングトレーニング装置の例示的な実施形態を示す。この実施形態では、第１のフットパッド１はコネクタ３を介して第２のフットパッド２に連結されている。各フットパッドはフットパッドカバー４、５を備え、表面は、たとえばタイヤの溝の表面を模すことですべりを防止するように設計される。当業者は、異なる種類のフットパッドカバーがすべりを防止するように設計され得ることを理解する。本明細書で説明するフットパッドカバーは実例であり、限定するものではない。本発明はいかなる特定の形状のフットパッドカバーにも限定されない。
【００１５】
図１に示すカスタマイズ可能なトレーニング装置は管状の鉄鋼構造によって形成され、きわめて頑丈であり、使用者による持ち運びの簡便さを高める。当業者は、本発明が装置を製造するのに使用する材料の種類によって限定されるものではなく、または、そうでなければ、装置が持ち運びの簡便さ、もしくは操作性の利便さのために設計されるかどうかによって限定されるものではないことを理解する。
【００１６】
図１に示す黒鋼板金網は、野球用ボール、ゴルフ用ボール、テニス用ボール、クリケット用ボール、ホッケー用パック、フットボール用ボール等のアイコンなどの象徴的文様を表示可能な中心部分を形成する。
【００１７】
図２は、左右に揺れる装置を示しており、（一般に、特定のスポーツ活動のスイング動作を行いながら）使用者が克服しなければならない不安定さを生じさせている。図２に描かれる矢印（Ｉ、ＩＩ）は装置が左右に揺れるときの動きの方向を示す。
【００１８】
図３はフットパッドが自由に回転することを示す。図３Ａは、「元の」位置にあるフットパッドを示し、フットパッドを載せるフットプレートと整列して前方を向いている。図３Ｂは、右利きの使用者が足を適切な向きにして野球のスイングを行いながら、バランスを鍛える位置に回転させたフットパッドを示す。図３Ｃは、左利きの使用者が足を適切な向きにして野球のスイングを行いながら、バランスを鍛える位置に回転させたフットパッドを示す。矢印は、フットパッドがそれぞれの回転させた位置にロックされた状態で、装置の左右の揺れの動きの方向を示す。フットパッドは３つの異なる角度で止まるようにあらかじめ設定することができる。
【００１９】
図４は、フットパッドの回転度がフットパッドの底面（図４Ａ）のスプリングピン６によって制御されることを示す。ピンにより使用者が手動でフットパッドの回転度を設定することが可能になる。回転度は１組の３つの穴７の１つにピンを置くことで制御される。設定は、回転度９０度、１８０度、および３６０度である。ピンは穴を貫通してフットパッドの面上に位置するラジアルスロット８に係合する（図４Ｂ）。これにより、異なるスポーツを競技し、それぞれの型どおりの動きの一部として異なる枢動量を必要とする使用者が装置をカスタマイズすることが可能になる。当業者は、枢動を制御する異なる種類の手段が、装置の回転度を調節するように設計され得ることを理解する。本明細書で説明する回転度を制御する手段は実例であり、限定するものではない。本発明はいかなる特定の回転度を制御する形状にも限定されない。
【００２０】
図５Ａおよび図５Ｂに示す矢印は、フットプレート同士がより接近して、またはさらに離れて動くことができる方向を示す。使用者は、組になっている３つの穴１０、１１により提供される３つの異なる設定の選択肢を有する。スプリングピン９はピンが所定の場所に「収まる」ように設計される。これにより、考慮されなければならない異なる姿勢を有するであろう異なる身長や年齢の使用者が装置を使用するためにカスタマイズすることが可能になる。図５Ｃは、使用者が手動でフットプレートを異なる幅に調節できるように、スプリングピン９がフットプレートを位置に固定するために係合される穴Ｉ、ＩＩ、ＩＩＩを通して操作する可動プレート調節器を示す。図５Ｃの矢印は、ピンが引き抜かれて外された位置にあることを示す。当業者は、異なる種類の可動プレート調節器が、装置を異なる姿勢の使用者に合わせるために調節するように設計され得ることを理解する。本明細書で説明する可動プレート調節器は説明のためのものであり、限定するものではない。本発明はいかなる特定の形状の可動プレート調節器にも限定されない。
【００２１】
図６は、装置の底面の両側１４，１５にある１組の３つの位置Ｉ、ＩＩ、ＩＩＩの１つに止め具を設定することで、使用者が装置の不安定さを軽減させることを可能にする安定止め具１２、１３を示す本発明によるスイングトレーニング装置の典型的な実施形態の図である。安定止め具は、要望のとおりに揺れ度を制限するために、片側につき３つの位置のいずれかに取り付けることができる。これにより、使用者はより安定した足場でトレーニングを開始したのちに、より進歩した設定に移行するのに十分なバランスを上達させ、最終的には止め具がすべてない状態で装置を使用できるようになる。これは、特にゴルファーといった装置の高年齢の使用者にとりわけ有利である。当業者は、使用者が乗ったときに装置の不安定さが軽減されるように安定止め具の異なる種類が設計され得ることを理解する。本明細書で説明する安定止め具は説明のためのものであり、限定するものではない。本発明は、いかなる特定の形状の安定止め具にも限定されない。
【００２２】
図７Ａは、使用者がフットパッドを回転させることなく装置上に乗ることができるように、フットパッドキック止め具１６、１７がカスタマイズ可能なスイングトレーニング装置に配置されることを示す。フットパッドキック止め具は、使用者のつま先でそれぞれの側を前方に押すことで「ロック」する。 一旦、使用者がフットパッドの上に乗れば、次に「ロック」を解除するのに使用者のつま先の底を使用してフットパッドキック止め具の先端を所定の場所に引くことで、使用者は片方のフットパッドまたは両方のフットパッドのロックを解除できる。図７Ａの矢印は、フットパッドをロックする動き（矢印「Ｉ」）とロックを解除する動き（矢印「ＩＩ」）の方向を示す。図７Ｂは、フットパッドカバー５、フットパッド２、およびフットパッドキック止め具１７の分解図である。当業者は、使用者が装置上に乗っている間にフットパッドが回転するのを防止するように異なる種類のフットパッドキック止め具が設計され得ることを理解する。本明細書で説明するフットパッドキック止め具は実例であり、限定するものではない。本発明は、いかなる特定の形状のフットパッドキック止め具にも限定されない。
【００２３】
各フットパッドキック止め具は、平らな金属の「プッシャ（ｐｕｓｈｅｒ）」プレート１８上に丸い後端を有して射出成形（インサート成形）されている（図７Ｃ参照）。各フットパッドキック止め具の内側の金属は、成形中に溶融プラスチックが貫流する、その金属を貫通する穴を有し、それにより金属とプラスチックを１つの一体化した分離できない部品として動かせる。「プッシャ」プレートは、後端の右および左にプレスされた小さなくぼみ１９を有することで、「プッシャ」プレートはロック位置およびロック解除位置を確実にする穴に「収まる」ことができる。プッシャプレートの前後の動きはＬ字型リターン（Ｌ−ｓｈａｐｅｄ  ｒｅｔｕｒｎ）２０が嵌る長方形の穴によって制限される。ロックが解除された位置（図７Ｃ）では、Ｌ字型リターンはフットパッドの底面の丸いブラケットにあるポケットの壁から引き離される。
【００２４】
ロックされた位置（図７Ｄ）では、Ｌ字型リターンはフットパッドの底面の丸いブラケットの取り付け脚で形成されるポケットの壁に接触する。図７Ｅは、底面の丸いブラケット２１が見えるように、挿入されたフットパッドがない状態の装置を示す。図７Ｆは、丸いブラケットが、フットパッドの下で丸いブラケットに影響を与える内部の回転「カップ」２２を有することがわかるように、フットパッドまたはプッシャプレートがない状態の装置を示す。
【００２５】
図８Ａは、内部の回転「カップ」２２の底面を示す本発明によるスイングトレーニング装置のさらなる実施形態の底面図である。フットパッドの回転は、装置の底面上のつまみ２４により制御される。使用者は手動でつまみを回し、フットスライダー２５内のボールベアリングリングを締めつけることでフットパッドを締めるまたは緩めることができ、その結果、回転速度は使用者が望むとおりにより遅くまたはより速くなるように調節される。つまみシャフト上のつまみナット２６を締めることで、つまみを所定の場所にロックする（図８Ｂ）。これは、アマチュアスポーツ選手よりもはるかに速い枢動をする装置の使用者であるプロスポーツ選手に特に有用である。当業者は、フットパッドを制御する異なる種類の手段が、フットパッドの回転速度を調節するように設計され得ることを理解する。本明細書で説明する回転速度を制御する手段は説明のためのものであり、限定するものではない。本発明は、回転速度を制御するいかなる特定の形状にも限定されない。
【００２６】
図９は、装置の後部に取り付けられたＬＣＤスクリーンを有する電子機器のモジュール２７を示す本発明の装置の実施形態の図である。電子機器のモジュールは、カスタマイズ可能なスイング装置が動いている間、音を出したり画像を表示したりすることができる。電子機器のモジュールは、スマートフォン用アプリケーションおよびインターネット上で連動する。後部に取り付けることで、ボールが当たる可能性から電子機器のモジュールを保護し、装置を屋外で使用する場合には防塵処理や防水処理がされる。
【００２７】
図１０は、装置の側面（図１０Ａ）、上面（図１０Ｂ）、正面（図１０Ｃ）、および底面（図１０Ｄ）の概略図を示す。
【００２８】
図１１は、フレックスヘッド２９を備える拡張ティー２８を有する本発明によるスイングトレーニング装置のさらなる実施形態の上面図である。拡張ティーおよびフレックスヘッドは、装置の使用者が各自のスイングの練習を望み得る様々なスポーツのボール、とりわけゴルフ用ボールを保持するために使用される。
【００２９】
本発明の様々な好ましい実施形態および例示的な実施形態が本明細書に説明されているが、本発明の概念および範囲内にとどまる多くの変形形態が可能である。そのような変形形態は、明細書を読み、図面を確認すれば当業者であれば明らかであろう。したがって、上記に記載の本発明の様々な実施形態は説明のためのものであり、限定するものではないことが意図されている。
【図１】
2015510815.tif 000003
【図２Ａ】
2015510815.tif 000004
【図２Ｂ】
2015510815.tif 000005
【図３Ａ】
2015510815.tif 000006
【図３Ｂ】
2015510815.tif 000007
【図３Ｃ】
2015510815.tif 000008
【図４Ａ】
2015510815.tif 000009
【図４Ｂ】
2015510815.tif 000010
【図５Ａ】
2015510815.tif 000011
【図５Ｂ】
2015510815.tif 000012
【図５Ｃ】
2015510815.tif 000013
【図６】
2015510815.tif 000014
【図７Ａ】
2015510815.tif 000015
【図７Ｂ】
2015510815.tif 000016
【図７Ｃ】
2015510815.tif 000017
【図７Ｄ】
2015510815.tif 000018
【図７Ｅ】
2015510815.tif 000019
【図７Ｆ】
2015510815.tif 000020
【図８Ａ】
2015510815.tif 000021
【図８Ｂ】
2015510815.tif 000022
【図９】
2015510815.tif 000023
【図１０Ａ】
2015510815.tif 000024
【図１０Ｂ】
2015510815.tif 000025
【図１０Ｃ】
2015510815.tif 000026
【図１０Ｄ】
2015510815.tif 000027
【図１１】
2015510815.tif 000028
【国際調査報告】
2015510815.tif 000029
2015510815.tif 000030